(57)【要約】【課題】  作業者の誤操作を防ぐ電源装置を提供する。【解決手段】  本発明の電源装置は、装置の外部の第１の電源手段から第１の電力の供給を受けて装置の内部に供給する電源接続手段と、装置に内蔵されて第１の電力とは異なる第２の電力を供給する第２の電源手段と、所定の色で発光する発光手段と、第１の電力の供給を受けた場合に、第１の電力を所定の電圧である第３の電力に変換して供給する電源制御手段と、第３の電力の供給を受けずに、第２の電力の供給を受けた場合に発光手段を第１色で発光させ、第３の電力の供給を受けた時に発光手段を第２色で発光させる発光制御手段と、電源接続手段から電源制御手段への第１の電力を供給と、第２の電源手段から発光制御手段への第２の電力を供給とを連動して接続及び切断する切断制御手段とを含む。【選択図】  図１
2017058797.tif 000002
【特許請求の範囲】
【請求項１】
装置の外部の第１の電源手段から第１の電力の供給を受けて装置の内部に供給する電源接続手段と、
装置に内蔵されて前記第１の電力とは異なる第２の電力を供給する第２の電源手段と、
所定の色で発光する発光手段と、
前記第１の電力の供給を受けた場合に、前記第１の電力を所定の電圧である第３の電力に変換して供給する電源制御手段と、
前記第３の電力の供給を受けずに、前記第２の電力の供給を受けた場合に前記発光手段を第１色で発光させ、前記第３の電力の供給を受けた時に前記発光手段を第２色で発光させる発光制御手段と、
前記電源接続手段から前記電源制御手段への第１の電力を供給と、前記第２の電源手段から前記発光制御手段への第２の電力を供給とを連動して接続及び切断する切断制御手段と
を含む電源装置。
【請求項２】
前記発光制御手段が、
前記発光手段を第１色で発光させるときの発光様式に、第２色で発光させる発光様式とは異なる発光様式を用いる
請求項１に記載の電源装置。
【請求項３】
前記発光制御手段が、
第１色で発光させる前記発光様式として、点滅を用いる
請求項２に記載の電源装置。
【請求項４】
前記発光制御手段が、
前記電源装置の所定の第１の状態から所定の第２の状態に変化した場合に、前記発光手段の点灯色又は発光様式を変更する
請求項１ないし３のいずれか１項に記載の電源装置。
【請求項５】
前記発光制御手段が、
前記第１の電力及び前記第２の供給を受けない時に前記発光手段を消灯する
請求項１ないし４のいずれか１項に記載の電源装置。
【請求項６】
前記発光手段及び前記接続制御手段が、前記電源接続手段が設けられた面に対抗する反対面又は反対面の近傍に設けられた
請求項１ないし５のいずれか１項に記載の電源装置。
【請求項７】
装置の外部の第１の電源手段から第１の電力の供給を受けて装置の内部に供給し、
装置に内蔵されて前記第１の電力とは異なる第２の電力を供給し、
前記第１の電力の供給を受けた場合に、前記第１の電力を所定の電圧である第３の電力に変換して供給し、
前記第３の電力の供給を受けずに、前記第２の電力の供給を受けた場合に第１色を発光させ、前記第３の電力の供給を受けた時に第２色を発光させ、
第１の電力を供給と、第２の電力を供給とを連動して接続及び切断する
電源制御方法。
【発明の詳細な説明】
【技術分野】
【０００１】
本発明は、電源装置に関し、特に、挿入及び抜去可能な電源装置、及び、電源制御方法に関する。
【背景技術】
【０００２】
情報処理装置には、信頼性の向上、又は、機能の拡張のため、複数の機器（コンポーネント）を交換可能に含む情報処理装置がある（例えば、特許文献１を参照）。交換可能な機器として、電源装置（電源ユニット）がある。例えば、情報処理装置には、信頼性を向上させるために、複数の電源装置（冗長な電源ユニット）を含む情報処理装置がある。このような情報処理装置は、いずれかの電源装置が故障しても、残りの電源装置を基に、動作可能である。情報処理装置の作業者は、このような冗長となっている電源装置を備えた情報処理装置において、情報処理装置が動作中においても、電源装置を交換（挿入及び抜去）できる。
【０００３】
情報処理装置は、一般的に、商用電源からのインレット（入り口）がリア側にある。そのため、電源装置を装置のフロント側から交換するタイプの情報処理装置の場合、電源装置は、電源装置が挿入及び抜去されるスロットに含まれるコネクタに、電源が供給された状態で、挿入及び抜去される。
【０００４】
しかし、電源装置が、商用電源が供給される状態でスロットに挿入されると、電源装置が、コネクタが接触した瞬間に、大電流が流れる。その結果、例えば、電源装置がスロットに挿入された際に、アークが飛ぶなど、電源装置に障害（損傷）が生じるという問題があった。
【０００５】
損傷を防止するためには、電源装置を挿入及び抜去する間、電源装置を商用電源から切り離す必要がある。
【０００６】
そこで、フロント側から交換となっている電源装置は、電源装置を商用電源から切り離すためスイッチが設けられている。作業者は、このスイッチを用いて電源装置を商用電源から切り離してから、挿入及び抜去の操作を行う。
【０００７】
例えば、作業者には、マニュアルなどを基に、電源装置の挿入及び抜去におけるスイッチの操作が、指示されている。
【先行技術文献】
【特許文献】
【０００８】
【特許文献１】特開２００２−１８９５３４号公報
【発明の概要】
【発明が解決しようとする課題】
【０００９】
しかし、作業者が誤操作した場合、電源装置は、スイッチをオン（接続）の状態、つまり、商用電源に接続される状態で、挿入及び抜去されてしまう。その場合、電源装置に損傷が、発生する。
【００１０】
そこで、電源装置の挿入及び抜去に対するロック機構と、上記のスイッチとを連動させる機構が、用いられている。つまり、作業者が、電源装置を挿入及び抜去する場合、まずロック機構を解除する。その時、ロック機構に連動したスイッチが、電源装置を商用電源から切り離す。
【００１１】
しかし、この対策は、専用機器であるロック機能付きのスイッチを必要とする、又は、専用機器を開発する必要がある。そのため、この対策は、コストの高騰、専用設計に基づく汎用性の低下、及び、設計の自由度が制約されるという問題点があった。
【００１２】
特許文献１は、電子キーを用いる。そのため、特許文献１も、上記の同様の問題点があった。
【００１３】
本発明の目的は、上記問題点を解決し、専用機器を用いずに、作業者の誤操作を防ぐ電源装置及び電源制御方法を提供することにある。
【課題を解決するための手段】
【００１４】
本発明の一形態における電源装置は、装置の外部の第１の電源手段から第１の電力の供給を受けて装置の内部に供給する電源接続手段と、装置に内蔵されて第１の電力とは異なる第２の電力を供給する第２の電源手段と、所定の色で発光する発光手段と、第１の電力の供給を受けた場合に、第１の電力を所定の電圧である第３の電力に変換して供給する電源制御手段と、第３の電力の供給を受けずに、第２の電力の供給を受けた場合に発光手段を第１色で発光させ、第３の電力の供給を受けた時に発光手段を第２色で発光させる発光制御手段と、電源接続手段から電源制御手段への第１の電力を供給と、第２の電源手段から発光制御手段への第２の電力を供給とを連動して接続及び切断する切断制御手段とを含む。
【００１５】
本発明の一形態における電源制御方法は、装置の外部の第１の電源手段から第１の電力の供給を受けて装置の内部に供給し、装置に内蔵されて第１の電力とは異なる第２の電力を供給し、第１の電力の供給を受けた場合に、第１の電力を所定の電圧である第３の電力に変換して供給し、第３の電力の供給を受けずに、第２の電力の供給を受けた場合に第１色を発光させ、第３の電力の供給を受けた時に第２色を発光させ、第１の電力を供給と、第２の電力を供給とを連動して接続及び切断する。
【発明の効果】
【００１６】
本発明に基づけば、専用機器を用いずに、作業者の誤操作を防ぐとの効果を奏することができる。
【図面の簡単な説明】
【００１７】
【図１】図１は、本発明における第１の実施形態に係る電源装置の構成の一例を示すブロック図である。
【図２】図２は、第１の実施形態に関連する電源装置の構成の一例を示すブロック図である。
【図３】図３は、第１の実施形態に係るＬＥＤ制御部及び電池の位置を説明するための図である。
【図４】図４は、第１の実施形態に係るＬＥＤ制御部及び電池の位置を説明するための図である。
【図５】図５は、第１の実施形態に係るＬＥＤ制御部の構成の一例を示すブロック図である。
【発明を実施するための形態】
【００１８】
次に、本発明の実施形態について図面を参照して説明する。
【００１９】
なお、各図面は、本発明の実施形態を説明するものである。ただし、本発明は、各図面の記載に限られるわけではない。また、各図面の同様の構成には、同じ番号を付し、その繰り返しの説明を、省略する場合がある。
【００２０】
また、以下の説明に用いる図面において、本発明の説明に関係しない部分の構成については、記載を省略し、図示しない場合もある。
【００２１】
＜関連する電源装置＞
まず、本発明のおける第１の実施形態に係る電源装置１００を理解するための参考として、第１の実施形態に関連する電源装置９００について説明する。
【００２２】
図２は、第１の実施形態に関連する電源装置９００の構成の一例を示すブロック図である。
【００２３】
図２に示されているように、電源装置９００は、カードエッジコネクタ９１０と、電源制御部９３０と、ＬＥＤ（Light Emitting Diode）制御部９４０と、ＬＥＤ９５０と、スイッチ９６０とを含む。
【００２４】
カードエッジコネクタ９１０は、電源装置９００のリア側に設けられ、図示しない商用電源に接続されているコネクタと接続し、商用電源の供給を受ける。カードエッジコネクタ９１０に供給された商用電源は、スイッチ９６０を介して、電源制御部９３０に接続されている。
【００２５】
電源制御部９３０は、商用電源からの電力を基に、電源装置９００における各構成、及び、図示しない電源装置９００が電力を供給する供給先装置に供給する電力を制御する。電源制御部９３０は、ＬＥＤ制御部９４０にも電力を供給する。
【００２６】
ＬＥＤ９５０は、ＬＥＤ制御部９４０の制御の基に、点灯及び消灯する。ＬＥＤ９５０は、スイッチ９６０の近傍に設けられている。
【００２７】
ＬＥＤ制御部９４０は、ＬＥＤ９５０の点灯及び消灯を制御する。より詳細には、ＬＥＤ制御部９４０は、電源制御部９３０から電力の供給を受けると、ＬＥＤ９５０を点灯する。また、ＬＥＤ制御部９４０は、電源制御部９３０からの電力が止まると、ＬＥＤ９５０を消灯する。
【００２８】
スイッチ９６０は、電源装置９００のフロント側（例えば、フロントパネル）に設置されたスイッチである。スイッチ９６０は、作業者に操作されて、カードエッジコネクタ９１０を介して供給される商用電源を電源制御部９３０に供給する電力線を切断及び接続するスイッチである。つまり、スイッチ９６０は、商用電源と電源制御部９３０とを接続及び切断する。
【００２９】
次に、電源装置９００の抜去における動作について説明する。
【００３０】
電源装置９００が動作時、スイッチ９６０は、オン（接続）状態である。そのため、電源制御部９３０は、カードエッジコネクタ９１０からの商用電源から電力の供給を受け、ＬＥＤ制御部９４０に電力を供給する。その結果、ＬＥＤ制御部９４０は、ＬＥＤ９５０を点灯する。
【００３１】
そして、抜去のために、作業者が、スイッチ９６０をオフ（切断）した場合、スイッチ９６０は、カードエッジコネクタ９１０からの電源制御部９３０への電力の供給を停止する。その結果、電源制御部９３０は、ＬＥＤ制御部９４０への電力の供給を停止する。ＬＥＤ制御部９４０は、電力を受けなくなるため、ＬＥＤ９５０を消灯する。
【００３２】
作業者は、ＬＥＤ９５０の消灯を確認してから、電源装置９００を抜去すれば、抜去時におけるミスを防ぐことができる。
【００３３】
このように、電源装置９００は、抜去時の操作ミスを防ぐことができる。
【００３４】
次に、電源装置９００の挿入における動作について説明する。
【００３５】
作業者は、スイッチ９６０をオフ（切断）にしてから、電源装置９００を挿入する。この場合、電源装置９００の挿入が完了しても、電源制御部９３０は、商用電源からの電力を受けることができない。電源制御部９３０は、ＬＥＤ制御部９４０に電力を供給できない。つまり、ＬＥＤ制御部９４０は、ＬＥＤ９５０を点灯しない。
【００３６】
挿入後、作業者が、スイッチ９６０をオン（接続）にすると、スイッチ９６０は、電源制御部９３０を商用電源に接続する。
【００３７】
電源制御部９３０は、商用電源の供給を受けると、ＬＥＤ制御部９４０に電力を供給する。その結果、ＬＥＤ制御部９４０は、ＬＥＤ９５０を点灯する。
【００３８】
作業者は、ＬＥＤ９５０の点灯を基に、挿入が正常に完了したことを確認できる。
【００３９】
このように、電源装置９００は、スイッチ９６０がオフ（切断）の状態で挿入された後、スイッチ９６０をオン（接続）にされると、ＬＥＤ９５０を用いて、商用電源の供給開始を示すことがでる。
【００４０】
しかし、ＬＥＤ９５０は、電源装置９００の挿入前において、スイッチ９６０がオフ（切断）及びオン（接続）のどちらの状態でも、消灯している。そして、電源装置９００は、スイッチ９６０のオン（接続）の状態で挿入されると、アークが飛ぶなど、障害（損傷）を受ける可能性がある。
【００４１】
つまり、電源装置９００は、挿入時における操作ミスを防ぐことができないという問題点があった。
【００４２】
本発明における実施形態は、上記の挿入時の操作ミスを防ぐことができる。
【００４３】
＜第１の実施形態＞
まず、本発明のおける第１の実施形態に係る電源装置１００の構成について説明する。
【００４４】
［構成の説明］
図１は、本発明における第１の実施形態に係る電源装置１００の構成の一例を示すブロック図である。図１において、下側がフロント側であり、上側がリア側である。
【００４５】
電源装置１００は、後ほど詳細に説明するとおり、ＬＥＤ１５０と電池１７０とを含む。ただし、電源装置１００が用いるＬＥＤ１５０及び電池１７０は、特に制限はない。電源装置１００は、設計において許容される範囲において使用可能ならば、一般的に用いられているＬＥＤ１５０及び電池１７０を用いてもよい。
【００４６】
電源装置１００の構成について詳細に説明する。
【００４７】
図１に示されているように、電源装置１００は、カードエッジコネクタ１１０と、電源制御部１３０と、ＬＥＤ制御部１４０と、ＬＥＤ１５０と、スイッチ１６０と、電池１７０とを含む。
【００４８】
カードエッジコネクタ１１０は、電源装置１００のリア側に設けられたコネクタである。カードエッジコネクタ１１０は、図示しない商用電源に接続されているコネクタと接続し、商用電源の供給を受ける。図１において、カードエッジコネクタ１１０の右側に示されている二つの長方形が、コネクタと接続して、商用電源の供給を受ける端子である。図１に示されているように、カードエッジコネクタ１１０に供給された商用電源は、スイッチ１６０を介して、電源制御部１３０に接続されている。ただし、図１に示されているカードエッジコネクタ１１０の端子の数は、一例である。カードエッジコネクタ１１０の端子は、使用されている商用電源に合わせて設けられればよい。
【００４９】
電源制御部１３０は、商用電源からの電力を基に、電源装置１００における各構成、及び、図示しない電源装置１００が電力を供給する供給先装置に供給される電力を制御する。電源制御部１３０は、商用電源とは異なる電流（直流又は交流）及び／又は電圧を生成して、生成した電流及び／又は電圧を用いて電力を供給してもよい。電源制御部１３０は、商業電源からの電力を所定の電圧の電力に変更後、ＬＥＤ制御部１４０にも電力を供給する。これは、ＬＥＤ制御部１４０は、商用電源とは異なる電源を必要とするＬＥＤ１５０を制御するためである。例えば、商用電源は、一般的に、交流１００［Ｖ］又は２００［Ｖ］である。一方、ＬＥＤ１５０の電源は、例えば、直流３．３［Ｖ］である。このように、商用電源は、ＬＥＤ１５０に用いられる電源とは異なる。
【００５０】
電池１７０は、電源装置１００に内蔵された、商用電源とは異なる電源である。電池１７０は、例えば、一般的な電池（乾電池、又は、コイン電池）である。なお、電池１７０は、直接的に、ＬＥＤ制御部１４０に供給できる電源であること望ましい。これは、ＬＥＤ制御部１４０のおける回路量を節約するためである。ただし、電池１７０は、電圧などを変換するための回路を必要とする電源でもよい。なお、電池１７０は、一次電池に限らず、二次電池（蓄電池）でもよい。電池１７０が蓄電池の場合、電池１７０は、電源制御部１３０が、商用電源と接続されている間、電源制御部１３０から電力の供給を受けて、充電してもよい。
【００５１】
ＬＥＤ制御部１４０は、電源制御部１３０から電力の供給を受ける。さらに、ＬＥＤ制御部１４０は、スイッチ１６０を介して、電池１７０から電力の供給を受ける。そして、ＬＥＤ制御部１４０は、供給される電力に基づいて、ＬＥＤ１５０の点灯、消灯、及び、ＬＥＤ１５０の点灯色を制御する。ＬＥＤ制御部１４０は、ＬＥＤ１５０における発光様式（発光パターン）を制御してもよい。
【００５２】
ＬＥＤ１５０は、ＬＥＤ制御部１４０の制御に基づいて、所定の色で点灯及び消灯する。ＬＥＤ１５０における点灯及び消灯については、後ほど詳細に説明する。なお、ＬＥＤ１５０が、発光できる色の数は、特に、制限はない。ＬＥＤ１５０は、単色光でもよく、複数の色を発光してもよい。ただし、ＬＥＤ１５０は、二種類以上の色を用いて発光できることが望ましい。以下の説明では、一例として、ＬＥＤ１５０は、二色に発光するとする。そして、ＬＥＤ１５０が発光する第１の色は、「アンバー」とし、第２の色は、「緑」とする。
【００５３】
なお、ＬＥＤ１５０は、フロント側、特にスイッチ１６０の近傍に設けられることが望ましい。これは、作業者が、電源装置１００を挿入するときに、ＬＥＤ１５０を視認し易くするためである。
【００５４】
スイッチ１６０は、電源装置１００のフロント側（例えば、フロントパネル）に設置されたスイッチである。スイッチ１６０は、作業者に操作されて、カードエッジコネクタ１１０を介して供給される商用電源を電源制御部１３０に供給する電力線を切断及び接続するスイッチである。さらに、スイッチ１６０は、商用電源の切断及び接続と連動（同期）して、電池１７０からＬＥＤ制御部１４０に電力を供給する電力線を切断及び接続する。そのため、スイッチ１６０の接点数（極数）は、「商用電源の電力線の数＋電池１７０の電力線の数」となる。
【００５５】
具体的な、スイッチ１６０の極数を説明する。
【００５６】
なお、電池１７０の電力線の数は、１又は２である。ただし、以下では、一例として、電池１７０の電力線の数は、「１」を用いて説明する。
【００５７】
例えば、商用電源が二相の場合、スイッチ１６０は、三極となる。また、商用電源が、三相の場合、スイッチ１６０は、四極となる。なお、商用電源として、直流を用いる場合、スイッチ１６０は、グランドを省略した、二極でもよい。
【００５８】
このように、スイッチ１６０は、商用電源と電源制御部１３０及び電池１７０とＬＥＤ制御部１４０とを、連動して、切断及び接続する。
【００５９】
なお、カードエッジコネクタ１１０は、リア側（第１の側）に設けられ、商用電源（第１の電源部又は電源手段）から電力が供給されているコネクタに接続し、商用電源から電力（第１の電力）の供給を受ける。そのため、カードエッジコネクタ１１０は、電源接続部又は電源接続手段である。
【００６０】
電池１７０は、商用電源との異なる電源（第２の電源）である。つまり、電池１７０は、電源装置１００に内蔵され、第２の電力を供給する第２の電源部又は第２の電源手段である。
【００６１】
電源制御部１３０は、第１の電源手段から供給された第１の電力を所定の電流又は電圧の電力（第３の電力）に変更する電源制御手段である。
【００６２】
ＬＥＤ１５０は、所定の光を発光すればよい。そのため、電源装置１００は、ＬＥＤ１５０の代わりに、電球などを用いてもよい。つまり、ＬＥＤ１５０は、発光部又は発光手段である。
【００６３】
ＬＥＤ制御部１４０は、ＬＥＤ１５０の発光を制御する。つまり、ＬＥＤ制御部１４０は、発光制御部又は発光制御手段である。
【００６４】
スイッチ１６０は、電力線を切断及び接続する接続制御部又は接続制御手段である。
【００６５】
［動作の説明］
次に、図１を参照して、第１の実施形態に係る電源装置１００の動作について説明する。
【００６６】
（抜去状態）
まず、電源装置１００が、抜去されている状態について説明する。
【００６７】
スイッチ１６０がオフ（切断）の場合（第１の状態）、電源制御部１３０は、商用電源から電力の供給を受けない。そのため、電源制御部１３０は、ＬＥＤ制御部１４０に電力を供給しない。また、ＬＥＤ制御部１４０は、電池１７０に接続しない。つまり、ＬＥＤ制御部１４０は、電源制御部１３０及び電池１７０のいずれからも電力を受けない。そのため、ＬＥＤ制御部１４０は、ＬＥＤ１５０を点灯しない（消灯する）。
【００６８】
スイッチ１６０が、オン（接続）の場合（第２の状態）、電源制御部１３０は、商用電源から電力の供給を受けない。そのため、電源制御部１３０は、ＬＥＤ制御部１４０に電力を供給しない。一方、ＬＥＤ制御部１４０は、電池１７０に接続されている。つまり、ＬＥＤ制御部１４０は、電池１７０から電力の供給を受ける。つまり、ＬＥＤ制御部１４０は、電源制御部１３０から電力を受けず、電池１７０から電力を受けている。この場合、ＬＥＤ制御部１４０は、ＬＥＤ１５０を、第１色（アンバー）を用いて点灯する。なお、この状態におけるＬＥＤ１５０の点灯は、そのまま挿入すると電源装置１００に障害を発生させる可能性がある、抜去状態におけるスイッチ１６０のオン（接続）を示す。つまり、この状態におけるＬＥＤ１５０の点灯は、ミスの発生の可能性を示す点灯である。そこで、ＬＥＤ制御部１４０は、ＬＥＤ１５０を点滅させるなど、より注意を喚起できる発光様式（パターン）を用いる方が望ましい。
【００６９】
このように、電源装置１００は、抜去状態においてスイッチ１６０がオン（接続）となると、ＬＥＤ１５０を第１色で点滅させ、作業者などに注意を喚起する。
【００７０】
つまり、電源装置１００は、ＬＥＤ１５０の発光を用いて、作業者の誤操作を防ぐことができる。
【００７１】
（挿入状態）
次に、電源装置１００が、挿入された状態について説明する。
【００７２】
スイッチ１６０が、オフ（切断）の場合（第３の状態）、電源制御部１３０は、商用電源からの電力の供給を受けない。そのため、電源制御部１３０は、ＬＥＤ制御部１４０に電力を供給しない。また、ＬＥＤ制御部１４０は、電池１７０に接続していない。つまり、ＬＥＤ制御部１４０は、電源制御部１３０及び電池１７０のいずれからも電力を受けない。そのため、ＬＥＤ制御部１４０は、ＬＥＤ１５０を点灯しない（消灯する）。
【００７３】
スイッチ１６０が、オン（接続）の場合（第４の状態）、電源制御部１３０は、商用電源からの電力の供給を受ける。そのため、電源制御部１３０は、ＬＥＤ制御部１４０に電力を供給する。そこで、ＬＥＤ制御部１４０は、ＬＥＤ１５０を第２色（緑）で点灯させる。
【００７４】
なお、電源装置１００が、第２色を用いるのは、上記の第１色との差異と明確とするためである。
【００７５】
また、上記のとおり、第１色を点灯は、注意を示す。そのため、第１色は、注意を喚起しやすい色（例えば、赤、橙、黄色、又は、アンバー）であることが望ましい。一方、第２色の点灯は、正常な動作状態を示す。そのため、第２色は、正常を示す色（例えば、緑、又は、青）が望ましい。
【００７６】
（発光様式）
なお、電源装置１００は、ＬＥＤ１５０の発光様式として、上記に限らず、別の様式としてもよい。
【００７７】
例えば、電源装置１００は、上記のＬＥＤ１５０の点滅に換えて、ＬＥＤ１５０の発光色の変更を繰り返してもよい。
【００７８】
あるいは、ＬＥＤ１５０の発光色は、１つでもよい。この場合、電源装置１００は、上記の第２色の点灯を、第１色の点灯に換えればよい。つまり、電源装置１００は、第２の状態においてＬＥＤ１５０を点滅させ、第４の状態においてＬＥＤ１５０を点灯とすればよい。
【００７９】
さらに、電源装置１００は、動作状態として、通常の状態（オン状態）に加え、消費電力を制限した状態（スタンバイ状態）を備える場合がある。この場合、ＬＥＤ制御部１４０は、オン状態とスタンバイ状態とを区別するように、ＬＥＤ１５０の点灯を制御してもよい。ＬＥＤ制御部１４０は、上記の動作のための情報を、電源制御部１３０から取得すればよい。
【００８０】
例えば、ＬＥＤ制御部１４０は、スタンバイ状態において、ＬＥＤ１５０の発光色を、オン状態とは異なる色（第１色）に変更してもよい。
【００８１】
この場合のＬＥＤ１５０の色と発光色をまとめると次の表１となる。
【００８２】
【表１】
2017058797.tif 000003
【００８３】
このように、ＬＥＤ制御部１４０は、装置の状態の変化に合わせて、ＬＥＤ１５０の発光色及び／又は発光様式を変更してもよい。
【００８４】
なお、ＬＥＤ１５０は、三種類の色（例えば、赤、黄、緑）を発光してもよい。この場合、ＬＥＤ制御部１４０は、次の表２に示すように、上記のスタンバイ状態の発光色を、第２の状態の発光色（アンバー）とは異なる色としてもよい。
【００８５】
【表２】
2017058797.tif 000004
【００８６】
［効果の説明］
次に、第１の実施形態の効果を説明する。
【００８７】
第１の実施形態に係る電源装置１００は、専用機器を用いずに、誤操作を防ぐとの効果を奏することができる。
【００８８】
その理由は、次とおりである。
【００８９】
スイッチ１６０が、装置のリア側に設けられたカードエッジコネクタ１１０に接続される商用電源から電源制御部１３０に電力を供給する電力線と、電池１７０からＬＥＤ制御部１４０に電力を供給する電力線とを、連動（同期）して、接続及び切断する。
【００９０】
電源制御部１３０は、商用電源の供給を受けた場合、ＬＥＤ制御部１４０に、電力を供給する。
【００９１】
ＬＥＤ制御部１４０は、電源制御部１３０から電力の供給を受けず、電池１７０から電力の供給を受けた場合、第１色を用いて、ＬＥＤ１５０を点灯又は点滅させる。なお、この場合のＬＥＤ１５０の点灯様式を、第１の発光様式と呼ぶ。
【００９２】
また、ＬＥＤ制御部１４０は、電源制御部１３０から電力の供給を受ける場合、第２色を用いてＬＥＤ１５０を点灯させる。なお、ＬＥＤ１５０が、単色の場合、ＬＥＤ制御部１４０は、第１の発光様式とは異なる第２の発光様式を用いて、ＬＥＤ１５０を点灯又は点滅させる。
【００９３】
つまり、電源装置１００は、商用電源から電力の供給を受けず、電池１７０から電力の供給を受けている状態、つまり、抜去状態でスイッチ１６０がオン（接続）の場合に、ＬＥＤ１５０を用いて注意を喚起するためである。
【００９４】
さらに、電源装置１００は、ＬＥＤ１５０と電池１７０として、一般的に広く用いられている製品を用いることできる。
【００９５】
また、スイッチ１６０は、一般的な電源装置（例えば、電源装置９００）において商用電源の接続及び切断に用いられるスイッチから１極又は２極増えたスイッチである。つまり、スイッチ１６０は、多くても数極のスイッチである。多極のスイッチは、一般的に、製品ラインとして数極まで備えている。そのため、スイッチ１６０は、一般的なスイッチを用いて実現可能である。
【００９６】
このように、電源装置１００は、専用機器を用いずに、作業者の誤操作を防ぐとの効果を奏することができる。
【００９７】
そのため、電源装置１００は、専用機器を用いる場合に比べ、費用を削減するとの効果も奏する。
【００９８】
［変形例１］
なお、ＬＥＤ制御部１４０の位置と電池１７０の位置とは、特に、制限はない。
【００９９】
図３及び図４を参照して、ＬＥＤ制御部１４０及び電池１７０の位置について説明する。
【０１００】
電源装置１００は、図３に示すように、電源制御部１３０を搭載したメインボード２１０に、ＬＥＤ制御部１４０と電池１７０とを搭載してもよい。
【０１０１】
あるいは、電源装置１００は、図４に示すように、電源制御部１３０を搭載したメインボード２２０とは異なる位置に、ＬＥＤ制御部１４０と電池１７０とを搭載してもよい。
【０１０２】
このように、電源装置１００は、設計の自由度を確保するとの効果を奏する。
【０１０３】
［変形例２］
以上の説明したＬＥＤ制御部１４０は、次のように構成される。
【０１０４】
例えば、ＬＥＤ制御部１４０は、ハードウェア回路で構成されてもよい。
【０１０５】
また、ＬＥＤ制御部１４０は、１つのハードウェアで構成されてもよい。
【０１０６】
また、ＬＥＤ制御部１４０は、ＣＰＵ（Central Processing Unit）と、ＲＯＭ（Read Only Memory）と、ＲＡＭ（Random Access Memory）とを含むコンピュータ装置として実現されてもよい。ＬＥＤ制御部１４０は、上記構成に加え、さらに、入出力接続回路（ＩＯＣ：Input / Output Circuit）を含むコンピュータ装置として実現されてもよい。
【０１０７】
図５は、本変形例に係るＬＥＤ制御部１４０の変形例である制御部６００の構成の一例を示すブロック図である。なお、図５は、制御部６００に関連しない構成の記載を省略している。
【０１０８】
制御部６００は、ＣＰＵ６１０と、ＲＯＭ６２０と、ＲＡＭ６３０と、ＩＯＣ６５０とを含み、コンピュータ装置を構成している。
【０１０９】
ＣＰＵ６１０は、ＲＯＭ６２０からプログラムを読み込む。そして、ＣＰＵ６１０は、読み込んだプログラムに基づいて、ＲＡＭ６３０と、ＩＯＣ６５０とを制御する。そして、ＣＰＵ６１０を含むコンピュータは、これらの構成を制御し、図１に示されているＬＥＤ制御部１４０としての機能を実現する。
【０１１０】
ＣＰＵ６１０は、機能を実現する際に、ＲＡＭ６３０を、プログラムの一時記憶として使用してもよい。
【０１１１】
また、ＣＰＵ６１０は、コンピュータで読み取り可能にプログラムを記憶した記憶媒体７００が含むプログラムを、図示しない記憶媒体読み取り装置を用いて読み込んでもよい。あるいは、ＣＰＵ６１０は、ＩＯＣ６５０を介して、図示しない外部の装置からプログラムを受け取り、ＲＡＭ６３０に保存して、保存したプログラムを基に動作してもよい。
【０１１２】
ＲＯＭ６２０は、ＣＰＵ６１０が実行するプログラム及び固定的なデータを記憶する。ＲＯＭ６２０は、例えば、Ｐ−ＲＯＭ（Programmable-ROM）又はフラッシュＲＯＭである。
【０１１３】
ＲＡＭ６３０は、ＣＰＵ６１０が実行するプログラム及びデータを一時的に記憶する。ＲＡＭ６３０は、例えば、Ｄ−ＲＡＭ（Dynamic-RAM）である。
【０１１４】
ここで、ＲＯＭ６２０は、不揮発性（non-transitory）の記憶媒体である。一方、ＲＡＭ６３０は、揮発性（transitory）の記憶媒体である。そして、ＣＰＵ６１０は、ＲＯＭ６２０、又は、ＲＡＭ６３０に記憶されているプログラムを基に動作可能である。つまり、ＣＰＵ６１０は、不揮発性記憶媒体又は揮発性記憶媒体を用いて動作可能である。
【０１１５】
ＩＯＣ６５０は、ＣＰＵ６１０と、電源装置１００に含まれる他の構成（例えば、電源制御部１３０、ＬＥＤ１５０、及び、スイッチ１６０）との信号を仲介する。ＩＯＣ６５０は、例えば、ＡＤ／ＤＡ（Analog Digital / Digital Analog）変換器、又は、ＬＥＤドライバ回路である。なお、ＩＯＣ６５０は、電源装置１００とは異なる装置（例えば、保守装置）と接続してもよい。
【０１１６】
このように構成された制御部６００は、ＬＥＤ制御部１４０と同様の効果を得ることができる。
【０１１７】
その理由は、制御部６００のＣＰＵ６１０が、プログラムに基づいてＬＥＤ制御部１４０と同様の機能を実現できるためである。
【０１１８】
なお、電源制御部１３０が、図５に示されているコンピュータ装置を用いて実現されてもよい。
【０１１９】
さらに、ＣＰＵ６１０は、ＲＯＭ６２０、ＲＡＭ６３０、及び、ＩＯＣ６５０を含んでもよい。
【０１２０】
以上、実施形態を参照して本願発明を説明したが、本願発明は上記実施形態に限定されるものではない。本願発明の構成及び詳細には、本願発明のスコープ内で当業者が理解し得る様々な変更をすることができる。
【産業上の利用可能性】
【０１２１】
本発明は、商用電源が供給されているスロットに挿入される電源装置に適用できる。
【符号の説明】
【０１２２】
１００    電源装置
１１０    カードエッジコネクタ
１３０    電源制御部
１４０    ＬＥＤ制御部
１５０    ＬＥＤ
１６０    スイッチ
１７０    電池
２１０    メインボード
２２０    メインボード
６００    制御部
６１０    ＣＰＵ
６２０    ＲＯＭ
６３０    ＲＡＭ
６５０    ＩＯＣ
７００    記憶媒体
９００    電源装置
９１０    カードエッジコネクタ
９３０    電源制御部
９４０    ＬＥＤ制御部
９５０    ＬＥＤ
９６０    スイッチ
【図１】
2017058797.tif 000005
【図２】
2017058797.tif 000006
【図３】
2017058797.tif 000007
【図４】
2017058797.tif 000008
【図５】
2017058797.tif 000009